(57)【要約】      （修正有）【課題】持ち方を提げ式から背負い式に変え、物品が重い状況でも、もっと簡単に持ち歩けるショッピングバッグを提供する。【解決手段】ショッピングバッグは、連結ボード１２を含み、前記連結ボードの左端には掛板１１がヒンジで連結され、前記掛板の右端端面には左に開口したハンドル溝２２が設置され、前記ハンドル溝の中には持ち歩き装置９０１が設置され、前記掛板には前後に対称的な回転軸が回転できるように連結され、前記回転軸には収納装置が設置され、前記掛板には前記持ち歩き装置の上端に位置するロック装置９０３がスライドできるように連結され、ショッピングバッグの垂直と水平端の双方向の折畳みによって、とられるスペースを減少させ、同時にショッピングバッグの持ち方を提げ式から背負い式に変え、物品が重い状況ではもっと簡単に持ち歩ける。【選択図】図１
2020179124.tif 000002
【特許請求の範囲】
【請求項１】
正面視で、連結ボードを含み、前記連結ボードの左端には掛板がヒンジで連結され、前記掛板の右端端面には左に開口したハンドル溝が設置され、前記ハンドル溝の中には持ち歩き装置が設置され、前記掛板には前後に対称的な回転軸が回転できるように連結され、前記回転軸には収納装置が設置され、前記掛板には前記持ち歩き装置の上端に位置するロック装置がスライドできるように連結され、前記掛板の頂端には上に開口した凹溝が設置され、前記凹溝の中には連結装置が回転できるように連結され、前記連結ボードの右端には敷板がヒンジで連結され、前記敷板の中には前記連結装置と当接したロック溝が設置されている、
前記連結装置を回し、前記掛板と、前記連結ボードと、前記ロック溝とを垂直状態に回し、前記ロック装置を引っ張り、前記収納装置を両側に開かせ、前記持ち歩き装置を提げ式から背負い式に変わり、持ち歩きやすいことを特徴とする便利に持ち歩くショッピングバッグ。
【請求項２】
前記持ち歩き装置は前記ハンドル溝の中に設置される軌道ブロックを含み、前記軌道ブロックの中には左右に連通した連結穴が設置され、前記連結穴には中心対称の四つのスライド溝が設置され、上下端の前記スライド溝の中には対称的なスライダがスライドできるように連結され、前記スライダにはバンドが設置され、前記ハンドル溝の右端の内壁には固定軸が設置され、前記固定軸には前記連結穴の中に位置する切替ブロックが設置され、前記切替ブロックの中には上下に対称的な開口溝が設置され、前記切替ブロックの中には左右に連通した回転チャンバが設置され、前記回転チャンバの中には上下に対称的なスライド棒がスライドできるように連結され、前記スライド棒には前記開口溝の中に位置する当接ボードが設置され、前記当接ボードのうち対称中心に近接している側と、前記開口溝のうち対称中心に近接している側の内壁との間には圧縮撥条が連結され、前記スライド棒の間にはヒンジ枠がヒンジで連結され、前記ヒンジ枠の横向き端には前記固定軸と当接した摩擦棒が設置されている、
前記スライダが前記開口溝の中にスライドし、前記摩擦棒を前記固定軸との当接から離脱させ、更に前記切替ブロックが四分の一周を回転し、それにより前記バンドを水平端の前記スライド溝のところにスライドさせ、提げ式から背負い式に切り替えることを特徴とする請求項１に記載の便利に持ち歩くショッピングバッグ。
【請求項３】
前記ロック装置は前記掛板の左端端面に設置された前後に対称的な支持棒を含み、前記支持棒の左端には横ボードが設置され、前記支持棒の中にはレイルが設置され、前記レイルの中にはハンドルがスライドできるように連結され、前記ハンドルの左側と前記横ボードの右側との間には障害撥条が連結され、前記掛板の中には前記ハンドルと固定的に連結された四つの係止棒が固定的に連結され、前記回転軸には伸縮ボードが設置され、前記伸縮ボードには前記係止棒と当接した抜き穴が設置されている、
前記係止棒が前記抜き穴を通すことで、前記伸縮ボードの回転を制限できることを特徴とする請求項１に記載の便利に持ち歩くショッピングバッグ。
【請求項４】
前記収納装置は前記伸縮ボードの中に設置され且つ下に開口した収納溝を含み、前記収納溝の頂端の内壁には前記係止棒と当接したラックがスライドできるように連結され、前記ラックと前記抜き穴の底端の内壁との間には伸び撥条が連結され、前記収納溝の中には駆動軸が回転できるように連結され、前記駆動軸には前記ラックと噛合伝動する回転ドアが設置され、前記掛板の左端端面には布袋が固定的に連結され、前記布袋のもう一端と前記伸縮ボードの左端端面との間が固定的に連結されている、
前記ラックと前記回転ドアとが噛合伝動し、前記回転ドアを垂直状態と水平状態との間に切り替えることを特徴とする請求項３に記載の便利に持ち歩くショッピングバッグ。
【請求項５】
前記連結装置は前記凹溝の底端の内壁と回転できるように連結される伝動軸を含み、前記伝動軸の上端末端にはノブが設置され、前記伝動軸には前記ノブの下端に位置する歯車が設置され、前記掛板の中には右に開口した隠し溝が設置され、前記隠し溝の中には前記歯車と噛み合って連結されるロック棒がスライドできるように連結され、前記ロック棒と前記ロック溝との間が当接して連結され、前記ロック棒の左側と前記隠し溝の左側の内壁との間には復帰撥条が連結されている、
前記ロック棒が同時に前記ロック溝と前記隠し溝とそれぞれ当接することで、前記敷板の回転を制限し、前記掛板と前記式板を平行に折り畳むことを特徴とする請求項１に記載の便利に持ち歩くショッピングバッグ。
【発明の詳細な説明】
【技術分野】
【０００１】
本発明は生活用品の技術分野を取り上げて、具体的には便利に持ち歩くショッピングバッグである。
【背景技術】
【０００２】
環境を保護するために、益々多くの人が布袋を持って買い物し、しかし、布袋が物品が満ちた後、持ち上げるのが重くなり、それに皮膚を接触するところには締付けられて跡がつき、又は血液が順調に流せなく、本発明が説明する便利に持ち歩くショッピングバッグは上記問題を解決できる。
【先行技術文献】
【特許文献】
【０００３】
【特許文献１】中国特許出願公開第１０２９１０１９５号明細書
【発明の概要】
【発明が解決しようとする課題】
【０００４】
本発明の目的は便利に持ち歩くショッピングバッグを提供し、それは現有技術の欠点を克服できる。
【課題を解決するための手段】
【０００５】
本発明の便利に持ち歩くショッピングバッグは、連結ボードを含み、前記連結ボードの左端には掛板がヒンジで連結され、前記掛板の右端端面には左に開口したハンドル溝が設置され、前記ハンドル溝の中には持ち歩き装置が設置され、前記掛板には前後に対称的な回転軸が回転できるように連結され、前記回転軸には収納装置が設置され、前記掛板には前記持ち歩き装置の上端に位置するロック装置がスライドできるように連結され、前記掛板の頂端には上に開口した凹溝が設置され、前記凹溝の中には連結装置が回転できるように連結され、前記連結ボードの右端には敷板がヒンジで連結され、前記敷板の中には前記連結装置と当接したロック溝が設置されている、
前記連結装置を回し、前記掛板と、前記連結ボードと、前記ロック溝とを垂直状態に回し、前記ロック装置を引っ張り、前記収納装置を両側に開かせ、前記持ち歩き装置を提げ式から背負い式に変わり、持ち歩きやすい。
【０００６】
更なる技術方案、前記持ち歩き装置は前記ハンドル溝の中に設置される軌道ブロックを含み、前記軌道ブロックの中には左右に連通した連結穴が設置され、前記連結穴には中心対称の四つのスライド溝が設置され、上下端の前記スライド溝の中には対称的なスライダがスライドできるように連結され、前記スライダにはバンドが設置され、前記ハンドル溝の右端の内壁には固定軸が設置され、前記固定軸には前記連結穴の中に位置する切替ブロックが設置され、前記切替ブロックの中には上下に対称的な開口溝が設置され、前記切替ブロックの中には左右に連通した回転チャンバが設置され、前記回転チャンバの中には上下に対称的なスライド棒がスライドできるように連結され、前記スライド棒には前記開口溝の中に位置する当接ボードが設置され、前記当接ボードのうち対称中心に近接している側と、前記開口溝のうち対称中心に近接している側の内壁との間には圧縮撥条が連結され、前記スライド棒の間にはヒンジ枠がヒンジで連結され、前記ヒンジ枠の横向き端には前記固定軸と当接した摩擦棒が設置されている、
前記スライダが前記開口溝の中にスライドし、前記摩擦棒を前記固定軸との当接から離脱させ、更に前記切替ブロックが四分の一周を回転し、それにより前記バンドを水平端の前記スライド溝のところにスライドさせ、提げ式から背負い式に切り替える。
【０００７】
更なる技術方案、前記ロック装置は前記掛板の左端端面に設置された前後に対称的な支持棒を含み、前記支持棒の左端には横ボードが設置され、前記支持棒の中にはレイルが設置され、前記レイルの中にはハンドルがスライドできるように連結され、前記ハンドルの左側と前記横ボードの右側との間には障害撥条が連結され、前記掛板の中には前記ハンドルと固定的に連結された四つの係止棒が固定的に連結され、前記回転軸には伸縮ボードが設置され、前記伸縮ボードには前記係止棒と当接した抜き穴が設置されている、
前記係止棒が前記抜き穴を通すことで、前記伸縮ボードの回転を制限できる。
【０００８】
更なる技術方案、前記収納装置は前記伸縮ボードの中に設置され且つ下に開口した収納溝を含み、前記収納溝の頂端の内壁には前記係止棒と当接したラックがスライドできるように連結され、前記ラックと前記抜き穴の底端の内壁との間には伸び撥条が連結され、前記収納溝の中には駆動軸が回転できるように連結され、前記駆動軸には前記ラックと噛合伝動する回転ドアが設置され、前記掛板の左端端面には布袋が固定的に連結され、前記布袋のもう一端と前記伸縮ボードの左端端面との間が固定的に連結されている、
前記ラックと前記回転ドアとが噛合伝動し、前記回転ドアを垂直状態と水平状態との間に切り替える。
【０００９】
更なる技術方案、前記連結装置は前記凹溝の底端の内壁と回転できるように連結される伝動軸を含み、前記伝動軸の上端末端にはノブが設置され、前記伝動軸には前記ノブの下端に位置する歯車が設置され、前記掛板の中には右に開口した隠し溝が設置され、前記隠し溝の中には前記歯車と噛み合って連結されるロック棒がスライドできるように連結され、前記ロック棒と前記ロック溝との間が当接して連結され、前記ロック棒の左側と前記隠し溝の左側の内壁との間には復帰撥条が連結されている、
前記ロック棒が同時に前記ロック溝と前記隠し溝とそれぞれ当接することで、前記敷板の回転を制限し、前記掛板と前記式板を平行に折り畳む。
【発明の効果】
【００１０】
本発明の有益な効果は：本発明は結構が簡単で、操作が便利で、ショッピングバッグの垂直と水平端の双方向の折畳みによって、とられるスペースを減少させ、同時にショッピングバッグの持ち方を提げ式から背負い式に変え、物品が重い状況ではもっと簡単に持ち歩け、それに索痕を防止する。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の便利に持ち歩くショッピングバッグの全体構成模式図
【図２】図２は図１の「ＡーＡ」の構成模式図
【図３】図３は図１の「ＢーＢ」の構成模式図
【図４】図４は図１の「ＣーＣ」の構成模式図
【発明を実施するための形態】
【００１３】
本発明の便利に持ち歩くショッピングバッグは、連結ボード１２を含み、前記連結ボード１２の左端には掛板１１がヒンジで連結され、前記掛板１１の右端端面には左に開口したハンドル溝２２が設置され、前記ハンドル溝２２の中には持ち歩き装置９０１が設置され、前記掛板１１には前後に対称的な回転軸４３が回転できるように連結され、前記回転軸４３には収納装置９０２が設置され、前記掛板１１には前記持ち歩き装置９０１の上端に位置するロック装置９０３がスライドできるように連結され、前記掛板１１の頂端には上に開口した凹溝１９が設置され、前記凹溝１９の中には連結装置９０４が回転できるように連結され、前記連結ボード１２の右端には敷板１３がヒンジで連結され、前記敷板１３の中には前記連結装置９０４と当接したロック溝１５が設置されている、
前記連結装置９０４を回し、前記掛板１１と、前記連結ボード１２と、前記ロック溝１５とを垂直状態に回し、前記ロック装置９０３を引っ張り、前記収納装置９０２を両側に開かせ、前記持ち歩き装置９０１を提げ式から背負い式に変わり、持ち歩きやすい。
【００１４】
有益なように、前記持ち歩き装置９０１は前記ハンドル溝２２の中に設置される軌道ブロック２３を含み、前記軌道ブロック２３の中には左右に連通した連結穴２４が設置され、前記連結穴２４には中心対称の四つのスライド溝２７が設置され、上下端の前記スライド溝２７の中には対称的なスライダ２６がスライドできるように連結され、前記スライダ２６にはバンド２５が設置され、前記ハンドル溝２２の右端の内壁には固定軸３６が設置され、前記固定軸３６には前記連結穴２４の中に位置する切替ブロック３１が設置され、前記切替ブロック３１の中には上下に対称的な開口溝３５が設置され、前記切替ブロック３１の中には左右に連通した回転チャンバ３０が設置され、前記回転チャンバ３０の中には上下に対称的なスライド棒３２がスライドできるように連結され、前記スライド棒３２には前記開口溝３５の中に位置する当接ボード３４が設置され、前記当接ボード３４のうち対称中心に近接している側と、前記開口溝のうち対称中心に近接している側の内壁との間には圧縮撥条３３が連結され、前記スライド棒３２の間にはヒンジ枠２８がヒンジで連結され、前記ヒンジ枠２８の横向き端には前記固定軸３６と当接した摩擦棒２９が設置されている、
前記スライダ２６が前記開口溝３５の中にスライドし、前記摩擦棒２９を前記固定軸３６との当接から離脱させ、更に前記切替ブロック３１が四分の一周を回転し、それにより前記バンド２５を水平端の前記スライド溝２７のところにスライドさせ、提げ式から背負い式に切り替える。
【００１５】
有益なように、前記ロック装置９０３は前記掛板１１の左端端面に設置された前後に対称的な支持棒３８を含み、前記支持棒３８の左端には横ボード３７が設置され、前記支持棒３８の中にはレイル４２が設置され、前記レイル４２の中にはハンドル３９がスライドできるように連結され、前記ハンドル３９の左側と前記横ボード３７の右側との間には障害撥条４１が連結され、前記掛板１１の中には前記ハンドル３９と固定的に連結された四つの係止棒４０が固定的に連結され、前記回転軸４３には伸縮ボード４６が設置され、前記伸縮ボード４６には前記係止棒４０と当接した抜き穴４５が設置されている、
前記係止棒４０が前記抜き穴４５を通すことで、前記伸縮ボード４６の回転を制限できる。
【００１６】
有益なように、前記収納装置９０２は前記伸縮ボード４６の中に設置され且つ下に開口した収納溝４８を含み、前記収納溝４８の頂端の内壁には前記係止棒４０と当接したラック５０がスライドできるように連結され、前記ラック５０と前記抜き穴４５の底端の内壁との間には伸び撥条４７が連結され、前記収納溝４８の中には駆動軸５１が回転できるように連結され、前記駆動軸５１には前記ラック５０と噛合伝動する回転ドア４９が設置され、前記掛板１１の左端端面には布袋４４が固定的に連結され、前記布袋４４のもう一端と前記伸縮ボード４６の左端端面との間が固定的に連結されている、
前記ラック５０と前記回転ドア４９とが噛合伝動し、前記回転ドア４９を垂直状態と水平状態との間に切り替える。
【００１７】
有益なように、前記連結装置９０４は前記凹溝１９の底端の内壁と回転できるように連結される伝動軸１４を含み、前記伝動軸１４の上端末端にはノブ１７が設置され、前記伝動軸１４には前記ノブ１７の下端に位置する歯車１８が設置され、前記掛板１１の中には右に開口した隠し溝２１が設置され、前記隠し溝２１の中には前記歯車１８と噛み合って連結されるロック棒１６がスライドできるように連結され、前記ロック棒１６と前記ロック溝１５との間が当接して連結され、前記ロック棒１６の左側と前記隠し溝２１の左側の内壁との間には復帰撥条２０が連結されている、
前記ロック棒１６が同時に前記ロック溝１５と前記隠し溝２１とそれぞれ当接することで、前記敷板１３の回転を制限し、前記掛板１１と前記式板１３を平行に折り畳む。
【００１８】
初期状態の時、布袋４４が収納溝４８の中に折畳まれて納められ、伸縮ボード４６が敷板１３の中に二つ折りにされ、そして回転ドアが水平に置かれており、同時に、係止棒４０が抜き穴４５の中にスライドし、ロック棒１６が隠し溝２１とロック溝１５と同時に当接し、掛板１１と、連結ボード１２と、敷板１３との間を直角に折り、バンド２５が垂直端のスライド溝２７の中に位置し、提げ式手袋になる。
【００１９】
装置が作動する時、ノブ１７を回して伝動軸１４によって歯車１８を連動させ、歯車１８が噛合伝動によってロック棒１６を左へ移動させてロック溝１５との当接から離脱させ、それにより敷板１３と、連結ボード１２と、掛板１１とを一つの直線に位置させ、ハンドル３９を引っ張って左へ移動させ、係止棒４０が抜き穴４５から滑り出し、伸縮ボード４６を手動で回して外へ反転させ、布袋を水平に開き、ラック５０は伸び撥条４７の弾性回復によって上へ移動し、噛合伝動によって回転ドア４９を垂直にし、布袋４４を垂直に開き、手を離れて障害撥条４１の弾性回復によって最も外側の二つの係止棒４０を改めて抜き穴４５の中にスライドさせ、バンド２５を推し動かして対称中心側に移動させて開口溝３５の中にスライドさせ、スライド棒３２は回転チャンバ３０の中に向かって移動し、ヒンジ枠２８を推し動かし、摩擦棒２９を固定軸３６との当接から離脱させ、そしてまた切替ブロック３０を四分の一回に回転させ、圧縮撥条３３の弾性回復によってスライダ２６を水平端のスライド溝２７の中に推し、ショッピングバッグを提げ式から背負い式に切り換え、持ち歩きやすい。
【００２０】
作動が終わった後、改めて布袋４４を縦に折ってから横に折り、そしてノブ１７を反方向に回転させ、ロック棒１６を改めてロック溝１５の中にスライドさせる。
【００２１】
以上の方式によって、本分野の技術人員は本発明の範囲の中に作動モードによっていろんな改変ができる。
【図１】
2020179124.tif 000003
【図２】
2020179124.tif 000004
【図３】
2020179124.tif 000005
【図４】
2020179124.tif 000006